(57)【要約】【課題】トップテーブルにおいて、ガラス板をガタツキが生じないようにすると共に水を拭き取ることが確実にできる冷却貯蔵庫の提供。【解決手段】作業台上に載置した支持具１７上に周縁部にシリコンシーラントが塗布されたガラス板１８を載置し、テーブル本体１９を押し下げて、テーブル本体１９の各垂直係止片１９Ｄに開設された各係止孔１９Ｅに支持具１７の各側面１７Ｂに突設された各係止部１７Ｃを夫々内方から嵌合係止させる。そして、前記シリコンシーラントが硬化すると、シール材２０としての役割を果たす。一方、固定片２１を天面２Ａ上にビス２２により固定しておく。この固定片２１の固定部２１Ａと天面２Ａとの隙間は、テーブル本体１９の水平係止片１９Ｆの厚さより僅か大きいので、前記隙間内に水平係止片１９Ｆを挿入させて、天面２Ａに上方からトップテーブル７が覆うように被せて、本体２にトップテーブル７を固定する。【選択図】図４
2010230220.tif 000002
【特許請求の範囲】
【請求項１】
断熱箱体の天面にトップテーブルを固定した冷却貯蔵庫であって、前記トップテーブルを、前記天面上に載置される支持具と、この支持具上に支持される耐熱性が良好なテーブル板と、このテーブル板より小さな開口部を介してこのテーブル板が外方から視認できるように前記支持具との間で前記テーブル板を挟んだ状態で支持して前記天面上に固定されるテーブル本体とから構成したことを特徴とする冷却貯蔵庫。
【請求項２】
断熱箱体の天面にトップテーブルを固定した冷却貯蔵庫であって、前記トップテーブルを、前記天面上に載置される支持具と、この支持具上に支持される耐熱性が良好なテーブル板と、このテーブル板より大きな開口部を介してこのテーブル板が外方から視認できるように且つテーブル板との隙間をシール材を介してシールした状態で前記支持具との間で前記テーブル板を挟んだ状態で支持して前記天面上に固定されるテーブル本体とから構成したことを特徴とする冷却貯蔵庫。
【請求項３】
断熱箱体の天面にトップテーブルを固定した冷却貯蔵庫であって、前記トップテーブルを、側面には外方へ係止部が形成されて前記天面上に載置される支持具と、この支持具上に支持される耐熱性が良好なテーブル板と、このテーブル板より大きな開口部を介してこのテーブル板が外方から視認できるように且つテーブル板との隙間をシール材を介してシールした状態でその裏面の前記開口部に近い部位に開口周縁部に沿って下方に延びた垂直係止片に形成された係止部が前記支持具の係止部に係止して前記支持具との間で前記テーブル板を挟んだ状態で支持して前記天面上に固定されるテーブル本体とから構成したことを特徴とする冷却貯蔵庫。
【発明の詳細な説明】
【技術分野】
【０００１】
本発明は、断熱箱体の天面にトップテーブルを固定した冷却貯蔵庫に関する。
【背景技術】
【０００２】
一般に内箱と外箱との間に断熱材を充填することにより断熱箱体を構成し、この断熱箱体内に冷却貯蔵空間を形成している（例えば、特許文献１参照）。そして、この冷却貯蔵庫の高級化に伴い、断熱箱体の天面にトップテーブルを固定する技術も提案されてきており、以下説明する。
【０００３】
図６において、内箱３２と外箱３３との間に断熱材３４を充填することにより断熱箱体３１を構成し、この断熱箱体３１の天面３１Ａ上にトップテーブル３５を固定する。このトップテーブル３５は合成樹脂材料で構成されたテーブル本体３６と耐熱性の良好なガラス板３７とから構成され、テーブル本体３６は平面視長方形状の上面３６Ａと、その周縁部を下方へ折り曲げて形成した４つの側面３６Ｂとから構成され、前記上面３６Ａ中央には凹部３８が形成され、この凹部３８内に前記ガラス板３７を載置する。
【先行技術文献】
【特許文献】
【０００４】
【特許文献１】特開２００７−１３９２５３号公報
【発明の概要】
【発明が解決しようとする課題】
【０００５】
しかし、上述したものにあっては、ガラス板３７とテーブル本体３６との間に隙間があると、ガタツキが発生する。また、ガラス板３７とテーブル本体３６との間に、水が入り込むという問題がある。
【０００６】
そこで本発明は、断熱箱体の天面に固定されるトップテーブルにおいて、ガラス板を配設しても、ガタツキが生じないようにすると共に水を拭き取ることが確実にできる冷却貯蔵庫を提供することを目的とする。
【課題を解決するための手段】
【０００７】
このため第１の発明は、断熱箱体の天面にトップテーブルを固定した冷却貯蔵庫であって、前記トップテーブルを、前記天面上に載置される支持具と、この支持具上に支持される耐熱性が良好なテーブル板と、このテーブル板より小さな開口部を介してこのテーブル板が外方から視認できるように前記支持具との間で前記テーブル板を挟んだ状態で支持して前記天面上に固定されるテーブル本体とから構成したことを特徴とする。
【０００８】
また第２の発明は、断熱箱体の天面にトップテーブルを固定した冷却貯蔵庫であって、前記トップテーブルを、前記天面上に載置される支持具と、この支持具上に支持される耐熱性が良好なテーブル板と、このテーブル板より大きな開口部を介してこのテーブル板が外方から視認できるように且つテーブル板との隙間をシール材を介してシールした状態で前記支持具との間で前記テーブル板を挟んだ状態で支持して前記天面上に固定されるテーブル本体とから構成したことを特徴とする。
【０００９】
更に第３の発明は、断熱箱体の天面にトップテーブルを固定した冷却貯蔵庫であって、前記トップテーブルを、下面を開口した箱状を呈して側面には外方へ係止部が形成されて前記天面上に載置される支持具と、この支持具上に支持される耐熱性が良好なテーブル板と、このテーブル板より大きな開口部を介してこのテーブル板が外方から視認できるように且つテーブル板との隙間をシール材を介してシールした状態でその裏面の前記開口部に近い部位に開口周縁部に沿って下方に延びた垂直係止片に形成された係止部が前記支持具の係止部に係止して前記支持具との間で前記テーブル板を挟んだ状態で支持して前記天面上に固定されるテーブル本体とから構成したことを特徴とする。
【発明の効果】
【００１０】
本発明は、断熱箱体の天面に固定されるトップテーブルにおいて、ガラス板を配設しても、ガタツキが生じないようにすると共に水を拭き取ることが確実にできる冷却貯蔵庫を提供することができる。
【図面の簡単な説明】
【００１１】
【図１】冷凍冷蔵庫の斜視図である。
【図２】冷凍冷蔵庫の各扉体を外した状態の本体の斜視図である。
【図３】本体上部の斜視図である。
【図４】図３のＡ−Ａ断面図である。
【図５】トップテーブルの概略分解斜視図である。
【図６】従来例のトップテーブルの縦断面図である。
【発明を実施するための形態】
【００１２】
以下、図面に基づき本発明の実施形態につき説明する。図１乃至図５に示すように、先ず冷却貯蔵庫としての冷凍冷蔵庫１の本体（断熱箱体）２は、前面に開口部を有する鋼板製の外箱３と、この外箱３内に間隔を持たせて組み込まれ、前面に開口部を有する合成樹脂材料で作製された内箱４と、これら外箱３と内箱４との間に充填発泡された発泡ポリウレタン断熱材５とから構成されている。
【００１３】
そして、前記発泡ポリウレタン断熱材５を充填発泡する前に、前記内箱４の上部において空間を左右に分割して仕切る上縦仕切体８及び左部において空間を上下に分割して仕切る横仕切体９を内箱４に固定して、内箱４に配設した治具と共に上縦仕切体８及び横仕切体９が内側から内箱４を堅固に支持する。このように支持した状態で、外箱３と内箱４との間に発泡ポリウレタン断熱材５を充填発泡する。
【００１４】
この発泡ポリウレタン断熱材５の充填後に、本体２の背面側下部の機械室内に冷凍サイクルを構成する圧縮機及び凝縮器用送風機を配設し、本体２底面の下方に凝縮器を配設し、また右の上下方向に長い冷蔵室１０下部と左の冷凍室１１下部の背方には両者に跨るように、内箱４の内側正面を凹ませて形成した冷却室内に蒸発器である冷却器を配設する。また、後述するように、本体２の天面２Ａ上にトップテーブル７を固定する。
【００１５】
そして、内箱４との間で冷気循環用ダクトを形成する風路形成体を内箱４に固定し、次いで下縦仕切体１３を上縦仕切体８と内箱４に固定する。このようにして、前記内箱４内の空間は断熱材をそれぞれ内部に備えた上縦仕切体８及び下縦仕切体１３により左右に仕切られ、更にこのように左右に仕切られた左の空間は内部に断熱材を備えた横仕切体９により上下に仕切られて、大きく３つに区画されて、右の冷蔵室１０、左上部の冷蔵室１２、左下部の冷凍室１１が形成される。
【００１６】
そして、右の冷蔵室１０の前面開口部には右上下部が回動可能に支持された扉体１５が配設され、前記左の冷蔵室１２及び冷凍室１１前面開口部にも夫々左上下部が回動可能に支持された扉体１６、１７が配設される。
【００１７】
前述したように、本体２の天面２Ａ上に固定されるトップテーブル７は、大きく分けて、前記天面２Ａ上に載置される下面を開口した箱状を呈する支持具１７と、この支持具１７上に支持される耐熱性が良好で且つ傷つきにくい硬質のテーブル板であるガラス板１８と、このガラス板１８より小さな開口部１９Ａを介してこのガラス板１８が外方から視認できるように前記支持具１７との間で前記ガラス板１８を挟んだ状態で支持して前記天面２Ａ上に固定されるテーブル本体１９とから構成され、以下詳述する。
【００１８】
前記支持具１７は、前記本体２の天面２Ａより一回り小さい平面視長方形状の上面１７Ａと、その周縁部を一部を除いて下方へ折り曲げて形成した４つの側面１７Ｂとから構成され、各側面１７Ｂには外方へ複数の係止部１７Ｃが所定間隔毎に突設されている。
【００１９】
前記ガラス板１８は前記支持具１７より僅か小さい面積を有し、このガラス板１８の周縁部、即ち少なくとも全側面に、ときに周縁上下部にも、取付前に水密シールのためのシール材料であるゲル状のシリコンシーラントなどを塗布しておく。このシリコンシーラントは耐湿性を有する常温硬化型のもので、硬化するとシール材２０としての役割を果たす。
【００２０】
前記テーブル本体１９は、中央部に前記ガラス板１８より少し面積が小さい開口部１９Ａが開設されて平面視一定幅を有すると共に外端部が前記本体２の天面２Ａより一回り大きい枠体部１９Ｂと、その周縁部を一部を除いて下方へ折り曲げて形成した４つの側面１９Ｃと、前記枠体部１９Ｂ裏面の前記開口部１９Ａに近い部位に開口周縁部に沿って下方に連続して突設された４つの垂直係止片１９Ｄ、４つの側面１９Ｃのうちの前方の側面１９Ｃの内側に水平方向に延びた水平係止片１９Ｆとから構成される。この各垂直係止片１９Ｄには前記支持具１７の各側面１７Ｂに突設された各係止部１７Ｃが夫々嵌合して係止する係止孔１９Ｅが所定間隔（係止部１７Ｃ同士と同じ間隔）を存して開設されている。
【００２１】
次に、トップテーブル７を本体２の天面２Ａ上に取付け固定する仕方について、以下説明すると、初めに、支持具１７と、ガラス板１８と、テーブル本体１９とを組み立てておく。即ち、作業台（図示せず）上に支持具１７を載置し、この支持具１７上にその周縁部にシリコンシーラントが塗布されたガラス板１８を載置する。次いで、前記テーブル本体１９を上方から支持具１７との間でガラス板１８を挟むようにして、前記テーブル本体１９をこの支持具１７に取り付ける。
【００２２】
即ち、前記テーブル本体１９を押し下げることにより、テーブル本体１９の各垂直係止片１９Ｄに開設された各係止孔１９Ｅに前記支持具１７の各側面１７Ｂに突設された各係止部１７Ｃを夫々内方から嵌合させて係止させる。
【００２３】
この各係止孔１９Ｅと各係止部１７Ｃとの係止により、位置決めされた状態で支持具１７の上面１７Ａとテーブル本体１９の開口部１９Ａに近い開口周縁部とでガラス板１８を挟持することができ、支持具１７、ガラス板１８及びテーブル本体１９とが組み立てられて一体化され、ガタツキの無いトップテーブル７が形成される。
【００２４】
このとき、ガラス板１８の周縁部にはゲル状のシリコンシーラントが塗布されているので、所定時間が経過して硬化すると、シール材２０としての役割を果たし、水密シールされることとなり、ガラス板１８上に水がこぼれても、ガラス板１８とテーブル本体１９との隙間から入り込むことが確実に防止されることとなる。
【００２５】
一方、断面がクランク形状を呈した固定片２１を天面２Ａ上にビス２２により固定しておく。この固定片２１の固定部２１Ａと天面２Ａとの隙間は、テーブル本体１９の側面１９Ｃに形成した水平係止片１９Ｆの厚さより僅か大きいので、テーブル本体１９を前方から後方へ移動させて、固定部２１Ａと天面２Ａとの隙間内にテーブル本体１９の水平係止片１９Ｆを挿入させるようにして、天面２Ａに上方からトップテーブル７が覆うように被せる。
【００２６】
即ち、テーブル本体１９の各側面１９Ｃは、本体２の各上端部と外から重なるように、上方からトップテーブル７が天面２Ａを覆うように被さる状態となる。この後、４つの側面１９Ｃのうちの後方の側面１９Ｃに開設された取付穴と本体２の後面上部に形成した取付穴とを合致させて、両取付穴にビス２２を差し込んで本体２にトップテーブル７を固定する。
【００２７】
このように、冷凍冷蔵庫１の本体２にトップテーブル７を固定すると、ガラス板１８を配設しても、ガタツキが生じないようにすることができ、またシール材２０により水密シールされることとなり、ガラス板１８上に水がこぼれても、ガラス板１８とテーブル本体１９との隙間から入り込むことが確実に防止されて、確実に拭き取ることができる。
【００２８】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００２９】
１      冷凍冷蔵庫
２      本体
２Ａ    天面
１７    支持具
１７Ｃ  係止部
１８    ガラス板
１９    テーブル本体
１９Ｄ  各垂直係止片
１９Ｅ  係止孔
１９Ｆ  水平係止片
２０    シール材
２１    固定片
２２    ビス
【図１】
2010230220.tif 000003
【図２】
2010230220.tif 000004
【図３】
2010230220.tif 000005
【図４】
2010230220.tif 000006
【図５】
2010230220.tif 000007
【図６】
2010230220.tif 000008